(57)【要約】【課題】  クリートとの係着性を向上する自転車用ペダルを提供する。【解決手段】  自転車用ペダルは、枢軸１０、本体２０、係着装置３０及び紐体４０を備える。枢軸１０は、固定ギヤ自転車のクランクに連結される。本体２０は、枢軸１０に回転自在に設けられ、第１端２１、第２端２２、及び本体２０の枢軸１０より第１端２１側に位置する揺動心軸２３を有する。係着装置３０は、本体２０の第１端２１側に、揺動心軸２３を軸として係着位置と離脱位置との間で揺動自在に設けられる。係着装置３０は、揺動心軸２３に対し本体２０の第２端２２と反対側に持ち上げ区域３１と係着区域３２を有する。係着装置３０が係着位置にあるとき、係着区域３２は、サイクリストの靴底に設けられたクリートと係着する。紐体４０は、持ち上げ区域３１に設けられ、輪状を形成しサイクリストの足に装着され、サイクリストの足を拘束する。【選択図】図１
0003172892.tif 000002
【実用新案登録請求の範囲】
【請求項１】
自転車のクランクに連結する枢軸と、
前記枢軸に回転自在に設けられ、前記枢軸と直交する方向の端部である第１端および第２端、並びに前記枢軸より前記第１端側に位置する揺動心軸を有する本体と、
前記本体の前記第１端側に、前記揺動心軸を軸として係着位置と離脱位置との間で揺動自在に設けられ、かつ前記揺動心軸に対し前記本体の前記第２端と反対側に、持ち上げ区域、及び、前記係着位置にあるときサイクリストの靴底に設けられたクリートと係着するための係着区域を有する係着装置と、
前記係着装置を前記係着位置に復帰させる向きの付勢力を有する弾性部材と、
前記持ち上げ区域に設けられ、輪状を形成しサイクリストの足に装着して縛るための紐体と、
を備えることを特徴とする自転車用ペダル。
【請求項２】
前記係着装置は、前記持ち上げ区域に前記揺動心軸の方向に平行する持ち上げ通し穴を有し、前記紐体は、前記持ち上げ通し穴に挿通されることを特徴とする請求項１記載の自転車用ペダル。
【請求項３】
前記紐体は、一方および他方の端部である第１自由端と第２自由端とを複数の位置から選択された位置で互いに連結し輪状に形成されることによって、サイクリストの足を拘束可能であることを特徴とする請求項２記載の自転車用ペダル。
【請求項４】
前記本体がさらに有する拘束区域に設けられ、輪状を形成しサイクリストの足に装着して縛るための補助紐体をさらに有することを特徴とする請求項１記載の自転車用ペダル。
【請求項５】
前記本体は、前記第１端と前記第２端との間に、前記枢軸と同軸に設けられる回転軸を有し、前記拘束区域は、前記本体の前記第１端と前記回転軸との間に位置し、かつ前記揺動心軸の方向に平行する拘束通し穴を有し、前記補助紐体は、前記拘束通し穴に挿通されることを特徴とする請求項４記載の自転車用ペダル。
【考案の詳細な説明】
【技術分野】
【０００１】
本考案は、自転車用ペダルに関し、特に競技用固定ギヤ自転車のペダルに関する。
【背景技術】
【０００２】
数多くの自転車競技のうちの一つであるトラック競技は、通常、特殊構造の固定ギヤ自転車（または固定ギヤバイクともいう）を使用し、特別に作られた曲がりくねった競技場所で行われる。
【０００３】
速度競技を目的とするため、固定ギヤ自転車は、一般の自転車と若干異なる点がある。主に固定式の後部ハブが使用され、かつ車体の重さを軽減するため、はずみ車、変速システムとブレーキシステムは設けられていない。このほか、固定ギヤ自転車のペダルは、係着機構が設けられ、サイクリストの自転車用靴のクリート（留め具）との係着により、サイクリストの足が踏み損ないまたは滑り抜けすること防止する。さらに、出力と速度アップを図るため、速度競技のサイクリストは力を入れてペダルを下方へ踏み込み、またはペダルを上方へ持ち上げるとき、力を入れてクランクを駆動しなければならない。
米国特許第６１１９５５１号明細書（特許文献１）には、クリートと係着関係を形成できる揺動自在の係着装置を備えた一種のクリートと係着可能なペダルが開示されている。
【先行技術文献】
【特許文献】
【０００４】
【特許文献１】米国特許第６１１９５５１号明細書
【０００５】
理論上、サイクリストが固定ギヤ自転車を漕ぐとき、係着装置とクリートは、係着関係を維持する必要がある。しかし、実際は競技のとき、サイクリストの漕ぐ力はきわめて大きい。特にペダルを持ち上げるとき、不用意にクリートが係着装置の拘束を離脱してしまい、サイクリストが踏み損なうことによって、転倒事故を引き起し、重大なけがを引き起こすおそれがある。
【０００６】
そして、一部のサイクリストは、前述の問題を避けるため、新たに締めつけ帯を用い、足とペダルを一体に縛っておく。締めつけ帯によって足を縛られているため、踏み損なうことはないが、サイクリストが力を入れて漕ぐとき、クリートと係着装置との間は、なお係着関係を離脱する可能性が残る。さらに、締めつけ帯の位置がうまく固定されていないため、漕ぐときに滑りの問題を引き起こし、締めつけ帯の滑りを引き起こすと、クリートが係着装置から離脱する可能性がある。換言すれば、足とペダルを単に縛りつけるだけでは、クリートと係着装置との係着強度を直接に強化する効果は無い。
【考案の概要】
【考案が解決しようとする課題】
【０００７】
本考案の主な目的は、クリートと係着装置との係着関係を確保できる自転車用ペダルを提供する。
【課題を解決するための手段】
【０００８】
前述目的を達成するため、本考案により提供する自転車用ペダルは、枢軸、本体、係着装置、弾性部材および紐体を備える。枢軸は、固定ギヤ自転車のクランクに連結される。本体は、枢軸に回動自在に設けられ、枢軸と直交する方向の端部である第１端および第２端、並びに第１端側に位置する揺動心軸とを有する。係着装置は、本体の第１端に、揺動心軸を軸として係着位置と離脱位置との間で揺動自在に設けられる。係着装置は、揺動心軸に対し本体の第２端と反対側に持ち上げ区域と係着区域を有する。係着装置が係着位置にあるとき、係着区域は、サイクリストの靴底に設けられたクリートと係着する。弾性部材は、係着装置を係着位置に復帰させる向きの付勢力を有する。紐体は、持ち上げ区域に設けられ、輪状を形成しサイクリストの足に装着され、サイクリストの足を拘束する。
【０００９】
紐体を持ち上げ区域に設け、サイクリストの足を拘束しておくことによって、サイクリストがペダルに力を入れると同時に、その勢いで持ち上げ区域を牽引し、係着装置を係着位置に維持することができる。したがって、係着区域とクリートとの係着関係が維持され、互いに離脱することはない。
【００１０】
本考案のペダルによると、紐体５０が設けられることで、サイクリストの足が不用意にペダルと離脱することが防止される。その長所は、考案者の観察によれば、サイクリストが力を入れてペダルを下方へ漕ぐとき、または上方へ持ち上げるとき、足の裏が下向きに力を入れ、かかとが上向きに揺動する挙動が見られる。そこで、本考案はこのような漕ぐ特性を利用し、係着装置３０が揺動心軸２３の持ち上げ区域３１をずれたときに、サイクリストの足を拘束する紐体５０が設けられている。
さらに、図５に示すように、サイクリストがかかとに力を入れて、ペダルを持ち上げまたは上向きに揺動されるとき、紐体５０が牽引されると同時に、持ち上げ力が持ち上げ区域３１に加えられる。持ち上げ区域３１は、本体２０の第２端２２のずれ位置にいるとき、てこの原理によって係着装置３０を牽引し係着位置に維持されると共に、係着装置３０の締めつけ力を増加させ、係着区域３２をより靴底のクリート１方向に密着して係着させることによって、係着装置３０とクリート１との間の係着関係が確保される。
言い換えれば、本考案は、紐体５０を揺動心軸２３からずれた位置の持ち上げ区域３１に設けることによって、サイクリストによるペダルの持ち上げ力が大きいほど、係着区域３２とクリート１がより密着して係着する効果を形成する。これにより、係着区域３２とクリート１が係着を離脱する問題を発生させない。よって、この分野でよく見受けられるクリート１が滑り落ちる問題が確実に改善される。
【００１１】
このほか、本考案は、通し穴によって紐体と補助紐体の位置が制限されるため、紐体が不用意に元の位置より離脱し従来の効果を失うことはない。さらに、必要に応じて、使用者は紐体を取り外しまたは交換することができるため、本考案の実用性が向上されている。
【図面の簡単な説明】
【００１２】
【図１】本考案の一実施例による自転車用ペダルの分解斜視図である。
【図２】本考案の一実施例による自転車用ペダルの斜視図である。
【図３】本考案の一実施例による自転車用ペダルの作動状態を示す断面図（その１）である。
【図４】本考案の一実施例による自転車用ペダルの作動状態を示す断面図（その２）である。
【図５】本考案の一実施例による自転車用ペダルの使用態様図である。
【考案を実施するための形態】
【実施例】
【００１３】
図１〜図５を参照する。本考案のペダルは、固定ギヤ自転車に適用することができる。
固定ギヤ自転車は、後輪を駆動するためのクランクを有し、ペダルはクランクの自由端に設けられる。固定ギヤ自転車に乗るサイクリストの足は、ペダルに置かれる。自転車用靴の靴底には、さらに、ペダルと係着するためのクリート１を設けても良い。そのうち、本実施例による自転車用ペダルは、枢軸１０、本体２０、係着装置３０、弾性部材４０、紐体５０および補助紐体６０を備える。
【００１４】
枢軸１０は、固定ギヤ自転車のクランクの内部端１１と外部端１２とを有する。内部端１１は、例えば、ねじを設けて、クランクとねじ接続される。
【００１５】
本体２０は、枢軸１０の外部端１２に回転自在に設けられる。また本体２０は、枢軸と直交する方向の端部である第１端２１および第２端２２、並びに本体２０の第１端２１側に位置する揺動心軸２３、本体２０の第１、第２端２１、２２との間に位置する回転軸２４、及び拘束区域２５を有する。そのうち、回転軸２４は、枢軸１０と同軸である。拘束区域２５は、本体２０の第１端２１と回転軸２４との間に位置することが好ましく、かつ拘束区域２５は、揺動心軸２３の方向に平行する拘束通し穴２５１を設けることが好ましい。
このほか、サイクリストの靴底に設けられたクリート１との位置決めのため、本体２０に、クリート１に合わせて係着穴２６または係着フックを設けても良い。
【００１６】
係着装置３０は、本体２０の第１端２１に、揺動心軸２３を軸として、係着装置と離脱位置との間で揺動自在に設けられる。このほか、係着装置３０は、揺動心軸２３に対し本体２０の第２端２２と反対側に持ち上げ区域３１と係着区域３２とを有する。
図３に示すように、サイクリストが初めて本実施例のペダルに踏みあげたとき、靴底に設けられたクリート１は、係着装置３０から離れ離脱位置に揺動される。クリート１が適切な位置に滑り込んだとき、係着装置３０は、弾性部材４０の働きによって係着装置に復帰される。このとき、図４に示すように、係着区域３２は、サイクリストの靴底に設けられたクリート１と係着される。好ましくは、持ち上げ区域３１に揺動心軸２３の方向に平行する持ち上げ通し穴３３を設ける。
【００１７】
弾性部材４０は、係着装置３０を係着位置に復帰させる付勢力を有する。本実施例において、弾性部材４０としてねじりばねが用いられる。本考案の他の実施例において、弾性部材４０は例えば、ゴムなど一つまたは複数の他種のばねまたは弾性復帰力を有する弾性体から構成され、係着装置３０を弾性復帰させる目的を達成する。
【００１８】
紐体５０は、持ち上げ区域３１に設けられ、輪状を形成しサイクリストの足に装着して縛られる。サイクリストの足の装着に便利なように紐体５０は、第１自由端５１と第２自由端５２とを複数の位置から選択された位置で互いに連結固定し輪状に形成させることによって、サイクリストの足を拘束可能である。このほか、本実施例において、紐体５０は、持ち上げ通し穴３３に挿通されて係着装置３０に連結される。この構成により、紐体５０の脱着と交換を便利にする。
【００１９】
補助紐体６０は、拘束区域２５に設けられ、かつ輪状を形成しサイクリストの足に装着し、サイクリストの足を拘束する。本実施例において、補助紐体６０は、同時に拘束通し穴２５１に挿通されて、本体２０に連結されている。
【符号の説明】
【００２０】
１      クリート
１０    枢軸
１１    内部端
１２    外部端
２０    本体
２１    第１端
２２    第２端
２３    揺動心軸
２４    回動軸
２５    拘束区域
２５１  拘束通し穴
２６    係着穴
３０    係着装置
３１    持ち上げ区域
３２    係着区域
３３    持ち上げ通し穴
４０    弾性部材
５０    紐体
５１    第１自由端
５２    第２自由端
６０    補助用紐体
【図１】
0003172892.tif 000003
【図２】
0003172892.tif 000004
【図３】
0003172892.tif 000005
【図４】
0003172892.tif 000006
【図５】
0003172892.tif 000007